(57)【要約】【課題】従来の偏平モータよりも更に薄型化の偏平モータを提供する。【解決手段】偏平モータ１は、ロータ部２と、該ロータ部２を軸受３を介して回転自在に支持している軸受ハウジング４に設けられたステータ部５と、を備えている。上記ステータ部５は、上記軸受ハウジング４に取付けられた配線基板６と、該配線基板６上に設けられた接着層７と、該接着層７を介して上記配線基板６上に直接、布線された導体層８と、によって、３層構造になっている。【選択図】　図１
2004080922.tif 000002
【特許請求の範囲】
【請求項１】
ロータ部と、該ロータ部を軸受及び軸受ハウジングを介して回転自在に支持したステータ部と、を備え、
上記ロータ部は、軸方向に多極に着磁されたロータマグネットと、該ロータマグネットを取付けた磁性回転ヨークと、該磁性回転ヨークの中央部に設けられた軸と、を備え、
上記ステータ部は、上記軸受ハウジングに取付けられた配線基板と、該配線基板上に設けられた接着層と、該接着層を介して上記配線基板上に直接、布線された導体層と、によって、３層構造に構成されていることを特徴とする偏平モータ。
【請求項２】
上記導体層上には、補強層が設けられていることを特徴とする請求項１に記載の偏平モータ。
【請求項３】
上記補強層は、樹脂のポッティングにより形成されていることを特徴とする請求項２に記載の偏平モータ。
【請求項４】
偏平モータを備えた電子機器であって、
上記偏平モータは、ロータ部と、該ロータ部を軸受及び軸受ハウジングを介して回転自在に支持したステータ部と、を備え、
上記ロータ部は、軸方向に多極に着磁されたロータマグネットと、該ロータマグネットを取付けた磁性回転ヨークと、該磁性回転ヨークの中央部に設けられた軸と、を備え、
上記ステータ部は、上記軸受ハウジングに取付けられた配線基板と、該配線基板上に設けられた接着層と、該接着層を介して上記配線基板上に直接、布線された導体層と、によって、３層構造に構成されていることを特徴とする電子機器。
【発明の詳細な説明】
【０００１】
【発明の属する技術分野】
本発明は、小型、薄型化が望まれるビデオカメラやディスクプレーヤ等のＡＶ機器や、ノート型パーソナルコンピュータ等のＩＴ機器に用いられる偏平モータ及び該偏平モータを使用した電子機器に関するものである。
【０００２】
【従来の技術】
図４に示すように、一般に偏平モータ１０１は、ロータ部１０２と、該ロータ部１０２を軸受１０３及び軸受ハウジング１０４を介して回転自在に支持しているステータ部１０５と、を備えている。
【０００３】
上記ロータ部１０２は、軸方向に多極に着磁されたロータマグネット１０２ａと、ロータマグネット１０２ａを取付けた磁性回転ヨーク１０２ｂと、磁性回転ヨーク１０２ｂの中央部に設けられた軸１０２ｃと、を備えている。
【０００４】
図４の円内に拡大して示すように、上記ステータ部１０５は、配線基板１０６上に接着層１０７を介してコイル１０８を取付ける構成になっている。上記配線基板１０６は、基板本体部１０６ａと、接着層１０６ｂと、導体層１０６ｃと、絶縁層１０６ｄ等からなっている。
【０００５】
上記コイル１０８には、例えば特開２００２−１１８９９５のモータ用コイルが用いられている。特開２００２−１１８９９５のモータ用コイルは、図４の円内に拡大して示すように、ポリエステル等の絶縁基板１０８ａ上に接着層１０８ｂを介して導線１０８ｃを布線した構成になっている。
【０００６】
【発明が解決しようとする課題】
ところで、上記従来の特開２００２−１１８９９５のモータ用コイルを使用した偏平モータ１０１には、次に述べるような問題点があった。
（１）上述したように、上記ステータ部１０５は、配線基板１０６上に接着層１０７を介して上記コイル１０８を積層することにより構成されているのであるが、上記コイル１０８は、絶縁基板１０８ａと、接着層１０８ｂと、導線１０８ｃを積層した多層構造になっているため、上記ステータ部１０５の肉厚Ｔ１が厚くなってしまう。
（２）図５に示すように、上記コイル１０８を接着層１０７を介して上記配線基板１０６に貼り付けた後に、導線１０８ｃ，１０８ｃ…の端部Ｐ，Ｐ…を上記配線基板１０６のランド部Ｑ、Ｑ…に半田付けしなければならないので、組立工程が煩雑になる。
（３）上記導線１０８ｃ，１０８ｃ…は、接着層１０８ｂの接着力のみで絶縁基板１０８ａに接着されているので該絶縁基板１０８ａから剥離し易い。
【０００７】
本発明は、上記従来の問題点を解決し、特開２００２−１１８９９５のモータ用コイルを使用した偏平モータよりも更に薄型化が可能な偏平モータを提供することを目的とする。
【０００８】
また、本発明は、導線の端部の処理が容易で、組立工程の簡素化を図ることができると共に、導線が剥離し難い偏平モータを提供することを目的とする。
【０００９】
【課題を解決するための手段】
請求項１の発明は、ロータ部と、該ロータ部を軸受及び軸受ハウジングを介して回転自在に支持したステータ部と、を備えた偏平モータにおいて、
上記ロータ部を、軸方向に多極に着磁されたロータマグネットと、該ロータマグネットを取付けた磁性回転ヨークと、該磁性回転ヨークの中央部に設けられた軸と、で構成し、
上記ステータ部を、上記軸受ハウジングに取付けられた配線基板と、該配線基板上に設けられた接着層と、該接着層を介して上記配線基板上に直接、布線された導体層と、によって、３層構造とすることにより、
上記従来の絶縁基板１０８ａを無くし、その分、偏平モータの肉厚を薄くした。
【００１０】
請求項２の発明は、請求項１の偏平モータにおいて、
上記導体層上に、補強層を設けることにより、
上記補強層で上記導体層を上記絶縁基板側に取付けて、上記接着層による接着との相乗効果により、上記導体層が上記絶縁基板から容易に剥離することのないようにした。
【００１１】
【発明の実施の形態】
図１は、偏平モータ１の断面図である。偏平モータ１は、ロータ部２と、該ロータ部２を軸受３及び軸受ハウジング４を介して回転自在に支持しているステータ部５と、を備えている。
【００１２】
上記ロータ部２は、軸方向に多極に着磁されたロータマグネット２ａと、ロータマグネット２ａを取付けた磁性回転ヨーク２ｂと、磁性回転ヨーク２ｂの中央部に設けられた軸２ｃと、を備えている。
【００１３】
上記ステータ部５は、上記軸受ハウジング４に取付けられた配線基板６と、該配線基板６上に設けられた接着層７と、該接着層７を介して上記配線基板６上に直接、布線された導体層８と、によって、３層構造になっていて、上記導体層８上には、補強層９が設けられている。上記ステータ部５は、肉厚Ｔ２に形成されている。
【００１４】
上記配線基板６は、鉄、紙フェノール、ガラスエポキシなどの基板本体部６ａと、エポキシなどの接着層６ｂと、銅などの導体層６ｃと、エポキシ等の絶縁層（レジスト）６ｄ等からなっている。
【００１５】
上記接着層７は、上記配線基板７の接着層６ｂと同様にエポキシなどで形成されている。
【００１６】
上記導体層８は、エナメル被覆線などにより形成されている。
【００１７】
上記補強層９は、エポキシなどの樹脂をポッティングしたり、或いはポリエステルやポリイミドなどのフィルムを上記導体層８を覆うようにして上記接着層７に貼り付けることにより構成されている。
【００１８】
図２に示すように、上記ステータ部５は、Ａ相、Ｂ相、Ｃ相の各相を構成する一対のコイルが対向して配置されていて、これら各相を構成する一対のコイルは、連続している。
【００１９】
実施例の上記ステータ部５は、上述のような構成であって、配線基板６上に接着層７を介して導体層８を直接、布線する構成にしたので、図４に示した、従来の絶縁基板１０８ａに相当するものは不要となるので、その分、ステータ部５乃至偏平モータ１を薄型にできる。
【００２０】
上記補強層９を設けると、その分、ステータ部５の層数は増加して、上記従来のステータ部１０５の層数と同じ層数になるが、従来の絶縁基板１０８ａに比べて補強層９は、薄くて済むので、ステータ部５の肉厚Ｔ２が従来のステータ部１０５の肉厚Ｔ１よりも大になることはない。（Ｔ２≦Ｔ１）。
【００２１】
そして、上記補強層９によって、導体層８が配線基板６から剥離するのを防止して、製品の信頼性を高めることができる。
【００２２】
また、図２に示すように、導体層８としてのコイルの端部Ｐを、配線基板６のランド部Ｑから、スタートさせることができる。予め、ランド部Ｑにスクリーン印刷などで半田処理を施しておけば、リフロー工程により簡単に導通をとることができるので、従来のように手作業で半田処理や導通処理を施す必要がなくなり、工程が格段に簡素化される。
【００２３】
更に、図３に示すように、配線基板６をマトリックス状に複数配置し、半田印刷、布線、リフロー工程を連続させて行なうようにすれば、自動化が容易にでき、より一層、安価に製造することが可能になる。
【００２４】
上記偏平モータ１は、ビデオカメラやディスクプレーヤ等のＡＶ機器や、ノート型パーソナルコンピュータ等のＩＴ機器等の電子機器に組み込まれて使用される。
【００２５】
【発明の効果】
本発明の偏平モータには次に述べるような効果がある。
（１）請求項１の偏平モータは、配線基板上に接着層を介して直接、布線された導体層でコイルを形成したので、従来の絶縁基板を使用するものに比べて、薄型にすることができる。また、コイルの半田処理、導通処理が容易になり、安価に提供することが可能になる。
（２）請求項２の偏平モータは、導体層上に補強層を設けたので、該補強層により導体層が補強されて、導体層が容易に剥離することのない信頼性に優れた製品を提供することができる。
（３）請求項３の偏平モータは、樹脂のポッティングにより補強層を簡単、容易に形成することができる。
（４）請求項４の電子機器は、請求項１の偏平モータを使用したので、偏平モータを薄型、小型にできる分、電子機器も薄型化、小型化することができる。
【図面の簡単な説明】
【図１】本発明の偏平モータの断面図。
【図２】本発明の偏平モータのステータ部の平面図。
【図３】本発明の偏平モータの製造方法の一例を示す説明図。
【図４】従来例の偏平モータの断面図。
【図５】従来例の偏平モータのステータ部の平面図。
【符号の説明】
１…偏平モータ、２…ロータ部、２ａ…ロータマグネット、２ｂ…磁性回転ヨーク、２ｃ…軸、３…軸受、４…軸受ハウジング、５…ステータ部、６…配線基板、７…接着層、８…導体層、９…補強層。
【図１】
2004080922.tif 000003
【図２】
2004080922.tif 000004
【図３】
2004080922.tif 000005
【図４】
2004080922.tif 000006
【図５】
2004080922.tif 000007